(57)【要約】【課題】運転者が運転席上からでは操作出来ない車両装置の状態を検知し、運転席上からでも装備状態を把握、認識出来るように表示する車両用表示装置を提供する事。【解決手段】車両２０が備える装備のうち、運転者が運転席上からは操作出来ないシート１１ａ〜１１ｄに対応したシートベルト１２ａ〜１２ｄの装着状態に関する情報を検知するシートベルトセンサ３ａ〜３ｄと、シートベルトセンサ３ａ〜３ｄが検知した装着情報を表示する表示部１とを備え、表示部１を、運転席より前方、且つ、実質的に対向する位置に配設する事により、運転者が運転席上からでは操作出来ないシートベル１２ａ〜１２ｄの装着状態を、運転席上からでも把握、認識出来るように表示するので、シートベルト１２ａ〜１２ｄの装着状態に気を取られる事なく、安心して車両２０前方の確認に集中した安全運転を行う事が可能になる。【選択図】図１
2004314648.tif 000002
【特許請求の範囲】
【請求項１】
車両が備える装備のうち、運転者が運転席上からは操作出来ない装備の状態に関する情報を検知する検知手段と、
前記検知手段が検知した情報を表示する表示手段とを備え、
前記表示手段を、運転席より前方、且つ、実質的に対向する位置に配設した事を特徴とする車両用表示装置。
【請求項２】
前記検知手段は、前記運転者が前記運転席上からは操作出来ない前記装備のうち、前記車両が備える全シートのシートベルトの装着状態を検知する事を特徴とする請求項１に記載の車両用表示装置。
【請求項３】
前記検知手段は、前記運転者が前記運転席上からは操作出来ない前記装備のうち、前記車両が備える全てのチャイルドシートに座った幼児の着席状態を検知する事を特徴とする請求項１または２に記載の車両用表示装置。
【発明の詳細な説明】
【０００１】
【発明の属する技術分野】
本発明は、車両が備える装備のうち、運転者が運転席上からでは操作出来ない装備に関する情報を表示する車両用表示装置に関する。
【０００２】
【従来の技術】
従来から、車両が備える様々な装備に関する情報を検知し、表示する車両用表示装置としては、例えば特許文献１に記載されるように、車載電話の作動状態を検知し、表示する表示装置を、運転席より前方、且つ、運転席に実質的に対向する位置に配設したものが考案されている。
【０００３】
また、車載電話のように後からオプションとして装備したものではなく、車両の生産当初からの装備に関する情報を検知し、表示する車両用表示装置としては、例えば特許文献２に記載されるように、ブレーキペダルを踏む事で後続車に自車の停止意志を知らせる為のストップランプの点灯及び消灯状態を検知し、検知した点灯及び消灯状態を運転席より前方、且つ、運転席に実質的に対向する位置に配設した表示手段を備えた車両用表示装置が考案されている。
【０００４】
【特許文献１】
実開昭６２−６６８４５号公報
【０００５】
【特許文献２】
実開昭６２−１０１４５号公報
【０００６】
【発明が解決しようとする課題】
しかし、上述した車両表示装置が検知し表示する装備は、いずれも運転者が運転席上から直接操作出来うるものであり、わざわざ直接操作出来る装備の状態を検知し表示しなくても、直に操作する事でどのような状態なのかが認識出来る。
【０００７】
翻って、車両装備の中には、運転者が運転席上からでは操作出来ないものも存在する。
【０００８】
例えば、全ての座席のシートベルトは、運転者が直接座席に座っている乗員に対して、装着出来るものではなく、その装着状態を個々の乗員との会話で確認するか、後部座席の場合、リアミラー越しに視認するに止まる。
【０００９】
また、運転者は他の乗員のシートベルトの装着状態を確認するのは、全乗員が搭乗し終わって車両を発進する前後においてのみが殆どであって、例えば、車両発進当初は装着していたシートベルトを、後の走行中に外している乗員もいる場合があり、この場合だと、運転者はシートベルトを装着していない乗員が車内にいる事に気付かない可能性もある。
【００１０】
また、同様に後部座席に装着されたチャイルドシートに座った幼児の着席状態も、運転席上から直接運転者が良好な着席状態に矯正出来るものではなく、リアミラー越しに、ある程度の着席状態が視認出来るに止まる。
【００１１】
運転者が、チャイルドシートに座った幼児の着席状態を矯正しようとすると、車両を一旦停止して、運転席から降りて後部座席に向かって、はじめて矯正し得る。
【００１２】
逆に運転者がチャイルドシートの近傍に位置して、初めて幼児の着席状態が悪い事に気付く場合もある。
【００１３】
本発明は、上記の点を鑑みてなされたものである。すなわち運転者が運転席上からでは操作出来ない車両装備の状態を検知し、運転席上からでも把握、認識出来るように表示する車両用表示装置を提供する事を目的とする。
【００１４】
【課題を解決するための手段】
請求項１に記載の車両用表示装置は、車両が備える装備のうち、運転者が運転席上からは操作出来ない装備の状態に関する情報を検知する検知手段と、前記検知手段が検知した情報を表示する表示手段とを備え、前記表示手段を、運転席より前方、且つ、実質的に対向する位置に配設した事を特徴とする。
【００１５】
この発明により、運転者が運転席上からでは操作出来ない車両装備の状態を、運転席上からでも把握、認識出来るように表示するので、上記車両装備に気を取られる事なく、安心して車両前方の確認に集中した安全運転を行う事が可能になる。
【００１６】
請求項２に記載の車両用表示装置は、前記検知手段は、前記運転者が前記運転席上からは操作出来ない前記装備のうち、前記車両が備える全シートのシートベルトの装着状態を検知する事を特徴とする。
【００１７】
この発明により、運転者は全ての乗員のシートベルトの装着状態を、車両前方に集中した運転作業の最中に当該表示手段にて確認する事が出来るので、例えば、車両走行中に後部座席の乗員がシートベルトを外した場合、そのシートベルトが外された事が当該検知手段にて検知され、当該表示手段にて表示されるので、外した乗員に対して再度シートベルトを装着するよう勧告する事が可能になり、もって車内の走行安全性を高める事が可能になる。
【００１８】
請求項３に記載の車両用表示装置は、前記検知手段は、前記運転者が前記運転席上からは操作出来ない前記装備のうち、前記車両が備える全てのチャイルドシートに座った幼児の着席状態を検知する事を特徴とする。
【００１９】
この発明により、運転者はチャイルドシートに座った全ての幼児の着席状態を、車両前方に集中した運転作業の最中に当該表示手段にて確認する事が出来るので、例えば、車両走行中に幼児の着席状態が走行安全上危険な状態になった場合、その事が当該検知手段にて検知され、当該表示手段にて表示されるので、その危険な着席状態を矯正する機会を得る事が出来、もって車内の走行安全性を高める事が可能になる。
【００２０】
【発明の実施の形態】
（第一実施形態）
本発明の第一実施形態にかかる車両用表示装置１０を図を用いて説明する。図１は本発明の車両用表示装置１０の構成の概略を示したブロック図である。
【００２１】
車両用表示装置１０は、表示部１と、搭乗センサ２ａ〜２ｄと、シートベルトセンサ３ａ〜３ｄと、制御部４とからなり、車両２０に搭載されている。
【００２２】
表示部１は、ブラウン管または液晶パネルで構成された表示装置である。表示部１は請求項で示す表示手段に相当する。この表示部１は運転席よりも前方で、実質的に運転席と対向する位置に配設されている。
【００２３】
搭乗センサ２ａ〜２ｄは、後述する車両２０のシート１１ａ〜１１ｄに乗員が搭乗したか否かを検知する搭乗センサである。搭乗を検知する具体的な作動としては、例えば赤外線センサなどを用いて、常時座席を照射し、その照射した赤外線の反射時間を後述する制御部４に伝達する、などがある。
【００２４】
シートベルトセンサ３ａ〜３ｄは、後述する車両２０のシートベルト１２ａ〜１２ｄの装着状態を検知している検知部である。装着状態の具体的な検知方法としては、図示しないシートベルト１２ａ〜１２ｄの収納部から、所定の長さのベルトが引き出された事を検知しても良いし、また他の方法としては、図示しないシートベルト１２ａ〜１２ｄの脱着ロックのロック状態を電気的に検知しても良い。このシートベルトセンサ３ａ〜３ｄは、請求項で示す検知手段に相当する。
【００２５】
制御部４は、ＣＰＵ、ＲＡＭ、ＲＯＭなどからなるマイクロコンピュータである。搭乗センサ２ａ〜２ｄが伝達してきた赤外線の反射時間から、シート１１ａ〜１１ｄのいずれに乗員が搭乗しているのかを判定し、乗員が搭乗していると判定したシートに対応するシートベルトの装着状態情報（装着されていれば「１」、装着されていなければ「０」など）をシートベルトセンサ３ａ〜３ｄから受信し、乗員が搭乗しているシート１１ａ〜１１ｄに対応するシートベルト１２ａ〜１２ｄの装着状態を、表示部１に乗員が分かりやすいように表示する。
【００２６】
制御部４が表示部１にシートベルト１２ａ〜１２ｄの装着状態を表示している例図を図２に示す。図２の例示では、シート１１ａ〜１１ｄの全てに乗員が搭乗しているものとする。この図では運転席のすぐ後ろの後部シート１１ｃに搭乗している乗員は、シートベルト１２ｃを装着していない事を示している。
【００２７】
上述した構成により、運転者が運転席上からでは操作出来ないシートベルト１２ａ〜１２ｄの装着状態を検知し、運転席上からでもシートベルト１２ａ〜１２ｄの状態を把握、認識出来るように表示する車両用表示装置を提供する事が出来る。
【００２８】
（第二実施形態）
本発明の第二実施形態にかかる車両用表示装置３０を図を用いて説明する。図３はチャイルドシート１３を配設する車両２０に搭載される本発明の車両用表示装置３０の構成の概略を示したブロック図である。車両用表示装置３０は、表示部１と、搭乗センサ２と、制御部４と、チャイルドシートセンサ５とからなる。
【００２９】
表示部１、搭乗センサ２、そして制御部４の構成は第一実施形態と同様なので説明を省略する。
【００３０】
チャイルドシートセンサ５は、チャイルドシート１３に搭乗する幼児の着席状態を検知する検知部である。このチャイルドシートセンサ５は請求項で示す検知手段に相当する。
【００３１】
このチャイルドシートセンサ５による着席状態の具体的な検知方法としては、例えばチャイルドシート１３の図示しない背もたれ部分に掛かる圧力の分布を検知する方法などが考えられる。また、幼児の体を固定する為の図示しないベルトに掛かる張力を検知しても良い。
【００３２】
制御部４は、上述したチャイルドシートセンサ５から伝達される着席状態情報が、例えば圧力情報であった場合は、幼児にとって快適で、かつ安全走行上問題の無い幼児の着席状態の圧力であるか否かを判定し、その判定結果を表示部１に表示出力する。
【００３３】
図４にその表示出力の一例を示す。図４は、チャイルドシート１３の断面図を表示し、このうち幼児に取って不快で、かつ安全走行上にも問題のある圧力が掛かっている背もたれ部位を点滅表示させる事で、前方を注視している運転者にチャイルドシート１３に着席している幼児の着席状態の矯正が必要な事を伝達している。
【００３４】
上述した構成により、運転者が運転席上からでは操作出来ないチャイルドシート１３に着席する幼児の着席状態を検知し、運転席上からでも着席状態を把握、認識出来るように表示する車両用表示装置を提供する事が出来る。
【００３５】
（変形例）
上述した各実施形態では、シートベルトセンサ３ａ〜３ｄや、チャイルドシートセンサ５が検知した状態情報に基づいて、運転者が運転席からは操作出来ないシートベルト１２ａ〜１２ｄや、チャイルドシート１３の状態を表示部１にて表示するのみだったが、表示する状態に応じた内容の音声も同時に出力されても良い。この場合は、制御部４に音声出力手段が接続する。この音声出力手段は図示しない車両２０に既設のオーディオ装置から出力されるように接続されていても良い。
【図面の簡単な説明】
【図１】本発明の第一実施形態における車両用表示装置１０の概略の構成を示したブロック図である。
【図２】第一実施形態における表示部１に表示されるシートベルト１２ａ〜１２ｄの装着状態を示す説明図である。
【図３】本発明の第一実施形態における車両用表示装置３０の概略の構成を示したブロック図である。
【図４】第二実施形態における表示部１に表示されるチャイルドシート１３に搭乗する幼児の着席状態を示す説明図である。
【符号の説明】
１          表示部（表示手段）
２ａ〜２ｄ  搭乗センサ（第一実施形態）
２          搭乗センサ（第二実施形態）
３ａ〜３ｄ  シートベルトセンサ（検知手段）
４          制御部
５          チャイルドシートセンサ
１０        車両用表示装置（第一実施形態）
２０        車両
３０        車両用表示装置（第二実施形態）
【図１】
2004314648.tif 000003
【図２】
2004314648.tif 000004
【図３】
2004314648.tif 000005
【図４】
2004314648.tif 000006